(57)【要約】      （修正有）【課題】積層ダンボールを使用した、表面に印刷まで施してある立体物を短時間で安価に製作するシステムを提供する。【解決手段】パソコンにプリンター、ＸＹプロッターをオンラインで動くように接続し、パソコンには立体物等の展開図面を作成する専用図面作成ソフトが内蔵してある。立体物の大きさ、形等のデータをパソコンに入れ、立体物の展開図面データを作成し、折り曲げ位置、切断位置を決め、次に立体物表面への印刷データを基にダンボールの必要部分にプリンターで印刷を行う。そのダンボールをＸＹプロッターの所定の位置に置き、折り曲げ位置にＶカットを施し、その後切断、ダンボールから立体物の部分を切り離して立体物を組み立てる。【選択図】図１
0003143770.tif 000002
【実用新案登録請求の範囲】
【請求項１】
積層ダンボール等の厚紙を切り抜き、要所要所を折り曲げて、組み立てて製作する立体的ディスプレーや自立案内標識のような立体物の展開図面を、パソコンに入力した立体物の形・大きさ等のデータを基に内蔵している専用図面作成ソフトで作成し、切り抜きを施す位置や、折り曲げのためのＶカットを施す位置や、さらに立体物を組み立てた折、その形状を保持するためにピンを差し込むための袋カットを施す位置を決めておき、次に取り込んだ図や写真や文字データと展開図面を組み合わせ内部ソフトで印刷データを合成し、パソコンと連動しているプリンターでその印刷データに基づき厚紙に印刷し、その厚紙をＸＹプロッターの所定の位置に装着し、厚紙の厚さに応じて切り刃あるいはジグソーをツールホルダーにセットして刃を傾けて切り込み深さを勘案しながらＶカットを行ったり、あるいは円錐形のルーターを使用してＶカットを行ったり、首付きルーターを使用して袋カットを施したり、最後に刃を垂直にして厚紙を切断した後、立体物になる部分を切り離し、折り曲げて立体物を組み立てたり、不使用時には平面に戻すことのできる立体物
【請求項２】
ダンボールがそれほど厚くないときは、Ｖカットの代わりに押罫を施したりハーフカットを行い、袋カットも行わないで製作する事を特徴とする請求項１記載の立体物
【請求項３】
複数のツールホルダーを持ち、それぞれに切刃やジグソーやルーターがセットされており、パソコンのプログラムに従って、それらを使い分け、かつ刃の傾きも変化できるようになっている事を特徴とする請求項１記載の立体物
【考案の詳細な説明】
【技術分野】
【０００１】  パソコンに入力したデータを基にダンボール等厚紙の表面に印刷し、ＸＹプロッターで切断やＶカットや袋カット等を施して作る立体物に関する。
【背景技術】
【０００２】  従来表面に印刷を施した厚紙やダンボールを切り抜いて立体物を製作する工程としては、厚紙表面に製版を含む印刷を施す工程、あるいは印刷した紙を厚紙あるいはダンボール表面に合紙する工程を採り、少量であれば、手作業で切り抜くことも可能であるが、【０００３】  大量に作るには打ち抜きのための打ち抜き型を作成して、その打ち抜き型をプレス機にセットし厚紙を打ち抜く工程を採らねばならなかった。打ち抜き型の作成には時間を要し、かつ打ち抜き型は高価であった。従ってある程度以上（数千枚）の枚数の製品を製作しなければ商業的には成り立たなかった。また打ち抜ける厚さや大きさにも限界があった。さらに打ち抜きではＶカットは不可能であった。【０００４】  経済性を度外視するにしても、打ち抜き型の作成に時間が掛かるので、素早く試作品を作って検討を重ねる等の時には、全て手作業で立体物を制作するしか方法が無かったが、出来栄えは完成品とは程遠いものであることが多かった。
【考案の開示】
【考案が解決しようとする課題】
【０００５】  小ロットあるいは試作品にまで適用できる、厚紙やダンボールを使用した、表面に印刷を施してある立体物を短時間で安価に製作するシステムを提供し、立体物を製作する。
【課題を解決するための手段】
【０００６】  本考案は上記問題に鑑みてなされたものであり、パソコンにプリンター、ＸＹプロッターをオンラインで動くように接続し、パソコンには立体物等の展開図面を作成する専用図面作成ソフトが内蔵してある。パソコンに入力した立体物の形・大きさ等のデータを基に内蔵している専用図面作成ソフトで立体物の展開図面データを作成し、その展開図面データを基に切り抜きを施す位置や、折り曲げのためのＶカットを施す位置や、さらに立体物を組み立てた折、その形状を保持するためにピンを差し込むための袋カットを施す位置を決めておく。【０００７】  次に取り込んだ図や写真や文字データと展開図面を組み合わせ内部ソフトで印刷データを合成し、その印刷データに基づいてダンボール板の必要部分にパソコンと連動しているプリンターで印刷を行う。そのダンボール板をＸＹプロッターの所定の位置に裏返しに装着し、ダンボール板の厚さに応じて切り刃あるいはジグソーをツールホルダーにセットして刃を傾けて切り込み深さを勘案しながら２度切りをしてＶカットを行ったり、あるいは円錐形のルーターを使用してＶカットを行ったり、首付きルーターを使用して袋カットを施し、刃を垂直にして厚紙を切断した後、立体物になる部分を切り離し、立体物を組み立てる。ツールの取替えは自動的に行うようにしておくと便利である。【０００８】  それほど厚くないダンボール等の場合にはＶカットの代わりに押罫を施しても良い。罫引ツールとしては以前当考案者の考案にかかる罫引玉芯（実新第３１３２２９４号）あるいは肩付罫引（実新第３１４００５８号）を使用することにより、厚紙あるいはダンボール板にスムーズな押罫を施すことができる。あるいは折り曲げ部にハーフカットを施してもよい。
【考案の効果】
【０００９】  以上述べてきたように、本考案はパソコンとそれにオンライン接続してあるプリンター、ＸＹプロッターによりダンボール板に印刷、Ｖカット、切断まで行えるので、従来別々に行っている一連の手間のかかる印刷工程、プレス機による押罫作業工程、打ち抜きプレス機によっていた打ち抜き工程に比べて著しく作業時間の短縮、費用の軽減を行うことができる。かつ試作品であっても完成品とまったく同じ高品位の立体物を制作することができる。
【考案を実施するための最良の形態】
【００１０】  立体物の展開図面作成やその図面データに印刷データを合成できる専用ソフトを内蔵したパソコンに、ダンボール板にフルカラー印刷できるプリンター、さらに押罫や各種カットのできるＸＹプロッターがオンラインで接続してある。【００１１】  印刷データを基にダンボール板の表面にプリンターで印刷を施し，それをＸＹプロッターの所定位置に裏返しにして置く。ＸＹプロッターのツールホルダーに切刃を装着し、切刃に傾斜をつけてダンボール板にＶカットを施す。ダンボールがそれほど厚くない場合は円錐形のルーターを使用してＶカットを施しても良い。【００１２】  立体物を組み立てた折、その形状を保持するためにピンを差し込む場合は、その位置に首付きルーターで袋カットを施すこともある。【００１３】  ＸＹプロッターのホルダーの切刃を垂直にしてダンボール板を切断し、立体物の部分を切り離して作業は終了する。ツールの取替えあるいは傾きの変更はプログラムに従って自動的に行うようにしておく。
【実施例１】
【００１４】  本考案のパソコンで作る立体物のシステムを図面に基づいて説明すると、図１は本システムの構成を示すシステム図で、パソコンとカラープリンター、ＸＹプロッターはオンライン接続してある。立体物の形・サイズ等のデータや印刷用の写真、図、文字データをそれぞれパソコンに取り込む。プリンターには給紙装置、ＸＹプロッターのホルダーには切刃やルーターが取り付けてあり、パソコンのプログラムの指示で自動的に選択でき、傾斜角が変えられるようにしてある。【００１５】図２は立体物の作成を行う流れ図である。２．で作図した展開図面と６．で取り込んだ図や文字データを組み合わせて７．内蔵ソフトで印刷データを合成する。８．カラープリンターでダンボール板に印刷し、９．ＸＹプロッターにセットし、１０．１１．１２．でＶカットや切断を行い、１３．立体物の部分を取り出して組み立てる。
【産業上の利用可能性】
【００１６】  以上述べてきたように、本考案のシステムを使用すれば従来の多くの工程は省けるので、量の多少にかかわらず、工期の短縮、費用の軽減が行える。重量のあるプレス機が不要になるので、作業場所を選ばず、かつ作業面積も大幅に少なくすることができる。
【図面の簡単な説明】
【００１８】
【図１】本考案のシステム図
【図２】立体物の作成を行う流れ図
【図１】
0003143770.tif 000003
【図２】
0003143770.tif 000004